(57)【要約】【課題】女性がトイレ特に洋式トイレで小水を放つ場合において、該小水が便器の内面に当る時及び便器内に溜まっている水に流れ落ちる時に発生する放尿音を解消することができる、洋式トイレ用消音シートを得る。【解決手段】放尿する時の小水を受け止めるための本体部２と、該本体部２を便座７又は便器６の先端部に掛止するための掛止部３を、連続した１枚の紙シートにて構成する。前記本体部２は便器６の内面中央から前方をほぼ覆う程度の大きさを有したものとし、掛止部３は本体部２の幅の約半分程度で長さは便座７又は便器６の先端部に折り曲げて掛止できる程度の大きさを有したもの若しくは便座７の先端部に挿着して止めることができる挿着用スリット４を形成したものとする。【選択図】　　　　図１
2004036365.tif 000002
【特許請求の範囲】
【請求項１】
放尿する時の小水を受け止めるための本体部（２）と、該本体部（２）を便座（７）又は便器（６）の先端部に掛止するための掛止部（３）を、連続した１枚の紙シートにて構成し、
前記本体部（２）は便器（６）の内面中央から前方をほぼ覆う程度の大きさを有したものとし、掛止部（３）は本体部（２）の幅の約半分程度で長さは便座（７）又は便器（６）の先端部に折り曲げて掛止できる程度の大きさを有したもの若しくは便座（７）の先端部に挿着して止めることができる挿着用スリット（４）を形成したものであることを特徴とする、洋式トイレ用消音シート。
【発明の詳細な説明】
【０００１】
【発明の属する技術分野】
本発明は、女性がトイレ特に洋式トイレで小水（小便）を放つ場合において、該小水が便器の内面に当る時及び便器内に溜まっている水に流れ落ちる時に発生する放尿音を解消するための、洋式トイレ用消音シートに関するものである。
【０００２】
【従来の技術】
従来、女性特に若い女性が洋式トイレにて小水を放つ場合、該小水が便器の内面に当る時及び便器内に溜まっている水に流れ落ちる時に発生する放尿音を恥ずかしく思うことが多く、該放尿音を打消すために水洗タンクの水を流しながら小水を放っている場合が多く見受けられる。また、消音装置として電子回路により擬似的な水流音をスピーカーにて発生したり、機械器具により放尿音を打消すための音を発生させる装置などが提案若しくは販売されている。
【０００３】
【発明が解決しようとする課題】
しかしながら、上記従来技術において前者の水洗タンクの水を流すことにより放尿音を打消す方法においては、放尿中に１〜２回，放尿後に１回の計２〜３回分若しくはそれ以上の水を１回の放尿時に流すことになり、水資源を無駄に使用しているという問題点があった。該問題点は、夏場の渇水時においては深刻な問題であり、公衆トイレなど多くの人が利用する場所においては水洗タンクへの注水が間に合わず、次の人が利用した時に水が流れないこともあるといった問題点もあった。
【０００４】
また、上記従来技術において後者の消音装置による電子的又は機械的な擬似音により放尿音を打消す方法においては、該消音装置を設置しているトイレ自体が非常に少なく、仮に設置してあっても使い方が分からなかったり壊れていて使用不能な場合もある。このため、前者のように水洗タンクの水を流すことにより放尿音を打消す安易な方法を取ってしまうことになり、前者と同じ問題点の発生となっていた。
【０００５】
本発明は、以上のような問題点を解決するために成されたものであり、女性がトイレ特に洋式トイレで小水を放つ場合において、該小水が便器の内面に当る時及び便器内に溜まっている水に流れ落ちる時に発生する放尿音を解消することができる、洋式トイレ用消音シートを提供することを目的とする。
【０００６】
【課題を解決するための手段】
上記課題を解決するため、本発明の洋式トイレ用消音シートにおいては、放尿する時の小水を受け止めるための本体部と、該本体部を便座又は便器の先端部に掛止するための掛止部を、連続した１枚の紙シートにて構成する。前記本体部は便器の内面中央から前方をほぼ覆う程度の大きさを有したものとし、掛止部は本体部の幅の約半分程度で長さは便座又は便器の先端部に折り曲げて掛止できる程度の大きさを有したもの若しくは便座の先端部に挿着して止めることができる挿着用スリットを形成したものとする。
【０００７】
【発明の実施の形態】
本発明の実施の形態を図を用いて説明する。図１は本発明の洋式トイレ用消音シートの第一実施例の平面外形図であり、図２は本発明の洋式トイレ用消音シートの第二実施例の平面外形図である。
【０００８】
両図に示すように、洋式トイレ用消音シート１は、女性が洋式トイレで小水を放つ場合において、該小水を受け止めるための本体部２と、該本体部２を便座７又は便器６の先端部に掛止するための掛止部３を、連続した１枚の紙シートにて構成する。該紙シートは、使用後にそのまま小水と一緒に流すため、水溶性の紙シートとするのが好ましい。
【０００９】
また、本体部２は便器６の内面中央から前方をほぼ覆う程度の大きさを有したものとし、掛止部３は本体部２の幅の約半分程度で長さは便座７又は便器６の先端部に折り曲げて掛止できる程度の大きさを有したもの若しくは便座７の先端部に挿着して止めることができる挿着用スリット４を形成したものとする。具体的には本体部２として幅が約２０〜２５ｃｍ，長さが約２５ｃｍ程度とし、第一実施例における掛止部３として幅が約１０ｃｍ，長さが約２０ｃｍ程度とし、第二実施例における掛止部３として幅が約２０〜２５ｃｍ，長さが約１２ｃｍ程度で当該掛止部３の中央に長さ約２０ｃｍ程度の掛止用スリット４を形成すれば、ほとんどの洋式トイレに適合して好ましい。なお、厚さは特に限定することなく、小水を放っている間、小水が当る本体部２の中央前部の放尿面５が破れない程度の厚さにするのが好ましい。
【００１０】
また、洋式トイレ用消音シート１を構成する本体部２や掛止部３において、角に丸みを付けたり多少の形状変更を行ったもの、更には洋式トイレ用消音シート１の表面に色や模様を付けたり芳香剤又は抗菌剤等の薬品を含ませたものも、本願の洋式トイレ用消音シート１にすべて包含するものである。
【００１１】
なお、図１及び図２は洋式トイレ用消音シート１の使用時における形状であり、該洋式トイレ用消音シート１をコンパクトに折り畳んで小型ケースや袋に収納して携帯用としたり、トイレットペーパーのようにミシン目を付けて１枚ずつ切り離せるようにロール状に巻いたり、ボックス型ティッシュペーパーのように１枚ずつ箱から取り出せるようにして洋式トイレ内に常備すれば利便性が増して好ましい。
【００１２】
【実施例】
本発明の実施例を図を用いて説明する。図３は本発明の洋式トイレ用消音シートを洋式トイレの便器にセットした状態を示した図であり、（ａ）は平面より見た状態（ｂ）は側面より見た状態を示し、洋式トイレ用消音シート１として第一実施例のものを使用している。
【００１３】
該図に示すように、女性が洋式トイレで小水を放とうとする場合、まず洋式トイレ用消音シート１の本体部２を便座７の上面より便器６の内面中央から前方にかけて垂らすようにセットする。この時、本体部２は便器６の内表面より適度な空間長Ｌを保つようにし、掛止部３は便座７の先端部より便器６の外側に垂らすようにする。該状態において、本体部２の端部は便器６の内面に残っている水や便器６内に溜まっている水により便器６の内面に付着する。
【００１４】
次に、従来と同様に小水を放つことになるが、この時の小水は便器６の内面に直接当らず洋式トイレ用消音シート１の本体部２の中央前部の放尿面５に当ることになる。そして、放たれた小水は本体部２の放尿面５より本体部２の下部に流れ落ち、便器６内に予め溜まっている水に注がれることになる。このため、小水が便器６の内面に直接当るときに発生する音と、放たれた小水が便器６内に予め溜まっている水に流れ落ちる時に発生する音の両方の放尿音が解消されることになる。
【００１５】
なお、図３における洋式トイレの便座７の形状は、先端部に欠落部を有したＵ字状の便座を示したが、先端部に欠落部がないＯ字状の便座でも使用方法等は同様である。
【００１６】
【発明の効果】
以上述べたように、女性がトイレ特に洋式トイレで小水を放つ場合において、本発明の洋式トイレ用消音シートを洋式トイレの便器の内面にセットしてから小水を放つようにすれば、該小水が便器の内面に直接当るときに発生する音と、放たれた小水が便器内に予め溜まっている水に流れ落ちる時に発生する音の両方の放尿音を解消することができ、使用後はそのまま小水と一緒に流すことができる。このため、従来の水洗タンクの水を流すことにより放尿音を打消す方法に比べ、水を流す回数が大幅に減らすことができ、水資源を無駄に使用することもなく環境改善に大いに貢献することができるという絶大な効果を奏する。
【図面の簡単な説明】
【図１】本発明の洋式トイレ用消音シートの第一実施例の平面外形図である。
【図２】本発明の洋式トイレ用消音シートの第二実施例の平面外形図である。
【図３】本発明の洋式トイレ用消音シートを洋式トイレの便器にセットした状態を示した図である。
【符号の説明】
１　洋式トイレ用消音シート
２　本体部
３　掛止部
４　掛止用スリット
５　放尿面
６　便器
７　便座
【図１】
2004036365.tif 000003
【図２】
2004036365.tif 000004
【図３】
2004036365.tif 000005